(57)【特許請求の範囲】
【請求項１】
ａ）基体；
ｂ）陰極であって、
（ア）２つの絶縁体排除接続部であって：
−  ＬＥＤ取り付け面に近接する近位縁及び前記ＬＥＤ取り付け面から離間した遠位縁を有する平面部分；及び
−  前記平面部分と同一の面において前記平面部分の遠位縁の一部のみから前記ＬＥＤ取り付け面から離れるように延在する接続部分；
をそれぞれが備える２つ絶縁体排除接続部；
（イ）前記ＬＥＤ取り付け面から前記基体に延在する端子であって、前記端子の先端は、前記基体の底面から突出しない、端子；
（ウ）前記基体の底面より上に位置する側部の熱拡散面；及び
（エ）前記基体の底面より上に位置し、前記側部の熱拡散面に垂直な中央部の熱拡散面であって、前記側部の熱拡散面と前記中央部の熱拡散面とは、前記陰極内の端子から離間して形成される、中央部の熱拡散面；
を備える陰極；並びに、
ｃ）陽極であって、
（ア）２つの絶縁体排除接続部であって：
−  ＬＥＤ取り付け面に近接する近位縁及び前記ＬＥＤ取り付け面にから離間した遠位縁を有する平面部分；及び
−前記平面部分と同一の面において前記平面部分の遠位縁の一部のみから前記ＬＥＤ取り付け面から離れるように延在する接続部分；
をそれぞれが備える２つ絶縁体排除接続部；及び
（イ）前記ＬＥＤ取り付け面から前記基体に延在する端子であって、前記端子の先端は、前記基体の底面から突出しない、端子；
を備える陽極；
を備えることを特徴とするＬＥＤ照明器具モジュール。
【請求項２】
前記陽極および前記陰極は、１つの板状の導体片より製作されることを特徴とする、請求項１に記載のＬＥＤ照明器具モジュール。
【請求項３】
前記陰極の前記側部の熱拡散面及び前記中央部の熱拡散面は、空気を流すことができる分離された面を有する一連の曲げを備えることを特徴とする、請求項１に記載のＬＥＤ照明器具モジュール。
【請求項４】
前記陰極の前記側部の熱拡散面及び前記中央部の熱拡散面は、矩形の形態で配置されることを特徴とする、請求項１に記載のＬＥＤ照明器具モジュール。
【請求項５】
前記基体は、前記陽極と前記陰極とを電気的に分離すし、前記絶縁体排除接続部のための、支持体と前記端子とを提供する、請求項１に記載のＬＥＤ照明器具モジュール。
【請求項６】
前記基体は、前記陽極及び前記陰極を一体化するための留め金が留められる長穴を備えることを特徴とする、請求項５に記載のＬＥＤ照明器具モジュール。
【請求項７】
前記基体は、長穴を備え、前記長穴にわたって、前記陰極の前記側部の熱拡散面が配置されることを特徴とする、請求項５に記載のＬＥＤ照明器具モジュール。
【請求項８】
前記基体は、ケーブルを配置するための空間を備え、かつ、前記絶縁体排除接続部の接続のための支持体として作用することを特徴とする、請求項５に記載のＬＥＤ照明器具モジュール。
【請求項９】
前記基体は、前記端子と前記基体の外から挿入されたケーブルとの間の接続のための空間をさらに備えることを特徴とする、請求項５に記載のＬＥＤ照明器具モジュール。
【発明の詳細な説明】
【技術分野】
【０００１】
本発明の目的は、ＬＥＤ式（「発光ダイオード」）照明器具が取り付け可能な装置またはモジュールであって、小形な構造と高い熱発散能力とを有し、同時に、概して照明の産業に関しつつ特には自動車の照明産業にとって、異なる電気接続様式、異なる種類の迅速で実用的な取り付け形式を提供する装置またはモジュールを有することである。
【背景技術】
【０００２】
ＬＥＤとしても知られる発光ダイオードの出現と共に、発光ダイオードは、白熱球や蛍光灯などの従来の照明システムを置き換えると考えられている。
【０００３】
ＬＥＤ式照明器具は、他の種類の発光体よりも優れた品質を提供する。それらの品質には、白熱球や蛍光灯の照明システムよりも有用な製品寿命が相当に長いことがある。同様に、その作動は、エネルギーの点においてより効率的であり、その構造の本質性のため、発光が従来のシステムより迅速である。
【０００４】
これらの理由や他の理由のため、ＬＥＤ式照明システムは、異なる産業用、住宅用、および商用の用途における照明のための基礎として採用されてきている。とりわけ、自動車産業は、主ライトにおいてなど、発光体および外部照明器具において、車両の内部照明に関するＬＥＤ照明の採用で重要な役割を担っている。
【０００５】
発光ダイオードすなわちＬＥＤは、エネルギー供給のための２つの電気端子から構成される。これらの端子を通じて、ＬＥＤにはその作動に必要な電圧が提供され、これにより発光が得られる。
【０００６】
これらの端子を電気回路に連結するいくつかの形式がある。そのうち最も一般的な形式は、端子を電気板に溶接することである。溶接は、ＬＥＤを回路に電気的に固定し、回路からダイオードへの電気の流れを可能にする。
【０００７】
結合の他の形式は機械的な結合であり、この場合、ＬＥＤは、導体要素に機械的に取り付けられる。現在の最新技術では、ＬＥＤを導体板に金具で留め付ける技術があり、その技術は、陽極および陰極を、特定の用途のための板のアレイに永久的に連結する。
【０００８】
リジッドの配列に加えて、フレキシブルな結合（フレックス基板）や、導体ケーブルによるものがある。しかしながら、これらは、効率的に熱発散させるためには高コストになってしまうなど、いくつかの制約を提起する。
【０００９】
自動車産業における最も一般的な技術の中には、ＬＥＤを導体板に金具で留め付けるものがある。特許文献１は、分配板材または分配棒材に機械的に連結された複数のＬＥＤアレイの技術を提供している。自動車用途では、これらの棒材は、それが配置される照明器具または発光体の形態に形成され、その形態に適切となっている。
【００１０】
特許文献２に図示されたもののようなこの種の堅固な取り付けは、ＬＥＤにとって適切な取り付けと導通とを提供するが、その構造が、非実用的であり、分配棒材が一度策定されてしまうと変更するのが難しい。
【００１１】
低出力の用途では、素早く固定するためにＬＥＤが支持体に取り付けられたモジュールがある。これらのモジュールは、特許文献３、特許文献４、および特許文献５などの特許に図示されており、ある程度の実用性を提供するが、接続の融通性において乏しい。特許文献６は、絶縁体の排除によってケーブルへの素早い接続の形態を提供するが、他の２つのように、接続に関して制約された能力を有し、すべての場合において非常に限定された熱発散能力を呈する。
【先行技術文献】
【特許文献】
【００１２】
【特許文献１】欧州特許０６５３５８６
【特許文献２】加国特許２５６２３５７
【特許文献３】ＪＰ１９９９０１９７７９０
【特許文献４】特開１９９９−０７１２
【特許文献５】欧州特許２１７７８２３Ａ１
【特許文献６】米国公開特許２００５／００６３１８１Ａ１
【発明の概要】
【課題を解決するための手段】
【００１３】
本発明は、ＬＥＤの完全なモジュールでの一体化を提案し、その一体化では、ＬＥＤダイオードが、十分な熱発散能力に加えて、２種類の接続を可能にする特定の形態を備えた陽極および陰極に固定される。ＬＥＤは、陽極および陰極と共に、独立したプラスチックの絶縁支持体に組み込むことができるか、または、照明器具の形態で複モジュール支持体に直接組み込むことができる一体化モジュールを形成する。
【図面の簡単な説明】
【００１４】
【図１】陽極、陰極、およびＬＥＤダイオードの取り付け前の下側の図である。
【図２】従来の取り付け過程によって取り付けられたＬＥＤと組み立てられた装置またはモジュールの上側の図である。
【図３】取り付け前のモジュールおよび個別絶縁基体の分解図である。
【図４】絶縁基体に沿ってモジュールを用いる接続可能性の図である。
【図５】絶縁基体なしでのモジュールの接続可能性の図である。
【図６】複数のモジュールのための容量を備えた基体にわたるモジュール取り付けの図である。
【図７】個別絶縁取り付けを備えたモジュールの下側の図である。
【図８】複数のモジュールのための容量を備えた基体にわたって取り付けられたモジュールの接続可能性の図である。
【図９】個別絶縁基体が取り付けられたモジュールの上側の図である。
【図１０】曲げの前の陽極および陰極の形態の図である。
【図１１】モジュールの側面図である。
【図１２】モジュールの前方上面図である。
【図１３】モジュールの上方側面図である。
【発明を実施するための形態】
【００１５】
本発明は、陽極（９）、陰極（１０）、およびＬＥＤダイオード（１１）で作製された１つのモジュール（１）を備えており、ＬＥＤは、従来の方法を用いて、また好ましくは、陽極および陰極に機械的に金具（２）で留め付けることによって、しっかりと固定されている。
【００１６】
本発明の陽極（９）および陰極（１０）は、２つの異なる電気接続形式、すなわち、絶縁体排除経路（３）と端子（４）による接続部とを備えている。同様に、陽極および陰極は、固定および取り付けのための留め金機構（５）を、複モジュール基体（６）に、または、個別絶縁基体（７）にわたって組み込んでいる。
【００１７】
陽極は、接続端子の配置と、モジュール（８）の実装および構造的剛性とのために、導体材料に一連の曲げも取り入れている。陰極も、接続端子の配置と、モジュールの実装および構造的剛性と、熱発散のための表面とのために、導体材料に一連の曲げも取り入れている。
【００１８】
本発明の目的物は、２つの金属片または導体片と、陽極（９）と、陰極（１０）と、１つまたは複数のＬＥＤ式ダイオード（１１）とを備えるモジュールである。
【００１９】
陽極（９）は、金属板がプリントまたは曲げられて作製されて、接続部（３）および（４）と、ＬＥＤの取り付け表面（１２）と、構造的剛性領域（８）と、固定する留め金（５）とを作製する。
【００２０】
陰極（１０）は、金属板がプリントまたは曲げられて作製されて、接続部（３）および（４）と、ＬＥＤの取り付け表面（１３）と、熱発散領域（１４）と、固定する留め金（５）とを作製する。
【００２１】
陽極（９）の作製は、位置（１５）において板を１８０度で曲げて陽極接続端子を作製することによる、端子の作製を含んでいる。この端子（１６）にわたって、追加の曲げが、ＬＥＤ取り付け表面（１２）に直交する様態で実施され、軸線Ａ（図１０）に平行な形態のままとなる。同じ様態で、絶縁体排除接続部１（１７）の曲げが実施され、軸線Ａ（図１０）に等しく平行なままとなる。留め金（５）を組み込む第２の絶縁体排除接続部２（１８）は、表面（１２）に対して直交して曲げられ、以前の曲げと同じ軸線Ａ（図１０）での配向のままとなる。表面側部（１９）は表面に対して直交する様態で曲げられ、軸線Ａに平行で他の曲げと同じ配向のままとなる。陽極は、中央表面（２０）の曲げで終了され、ＬＥＤの取り付け表面（１２）と直交しつつ軸線Ａと平行なままとなり、ケーブルの排除接続部（１７）および（１８）の側部に側部表面（１９）がある状態で、形態を維持し、構造的な剛性を陽極に与える。
【００２２】
陰極（１０）の作製は、位置（２１）において板を１８０度で曲げて陰極接続端子を作製することによる、端子の作製を含んでいる。この端子（２２）にわたって、追加の曲げが、ＬＥＤ取り付け表面（１３）に直交する様態で実施され、軸線Ａ（図１０）に平行な形態のままとなる。同じ様態で、絶縁体排除接続部１（２３）の曲げが実施され、軸線Ａ（図１０）に等しく平行なままとなる。留め金（５）を組み込む第２の絶縁体排除接続部２（２４）は、ＬＥＤの取り付け表面（１３）に対して直交して曲げられ、以前の曲げと同じ軸線Ａ（図１０）での配向のままとなる。
【００２３】
側部（２５）および中央部（２６）の熱拡散のための表面は、１８０度の角度を形成するように曲げられ、両方の表面（２８）の間に空気流を許容する曲率半径（２７）を伴って、元々の表面に平行なままとなる。これらの表面は曲げられ、ＬＥＤの取り付け表面（１３）に直交する形態のままとなり、側面（２５）は照明器具の内部または外部に向かって曲げられ、ＬＥＤとの接触表面を構成する。熱移動表面（２７）の曲げは、優れた熱発散のための熱導体材料の面積の増加を可能にし、ＬＥＤ（１１）を許容可能な作動温度に維持する。
【００２４】
照明ダイオードまたはＬＥＤ（１１）は、２つの電気接触部（２９）および（３０）を備えている。これらは、従来の取り付けシステムを用いて、また好ましくは、陽極（９）および陰極（１０）がＬＥＤ端子（２９）および（３０）と電気的連続性を有する様態において金具で留め付ける方法で、陽極（１２）および陰極（１３）においてＬＥＤの取り付け表面に連結される。陽極、陰極、および取り付けられたＬＥＤは、ＬＥＤ照明器具のためのモジュール（１）を形成する。
【００２５】
モジュールは、電気回路において２つの接続可能性を提示する。第１の形態は、絶縁体排除接続部（３）を用いるものである。陽極（９）と陰極（１０）との両方は、従来のケーブルの絶縁材料に対する刃の形態で作用して、ケーブルの導体材料と直に接触したままとなってＬＥＤダイオードへの直接的な接続を行う絶縁体排除接続部（３）を備えている。この種類の接続は、個々のモジュール（１）と共に用いられ得るか、または、モジュール（３１）のための個別絶縁基体と連結されて用いられ得る。その場合、プラスチック（７）であり得る絶縁基体は、接続を行う瞬間に、ケーブルのための支持体として作用する。
【００２６】
第２の接続可能性は、従来の端子によるものである。陽極（９）と陰極（１０）との両方は、端子の付いたケーブルが接続されて、ＬＥＤ端子（２９）および（３０）に陽極（９）および陰極（１０）を通じて給電し得る従来の端子接続部（４）を備えている。
【００２７】
両方の種類の接続が同時的な様態で存在することで、照明器具が、絶縁体排除接続部（３２）を用いてか、従来の端子（３３）によってか、または、両方の組み合わせ（３４）によって、回路または多くの照明器具へと接続され得ることを可能にする。
【００２８】
モジュール（１）は、特定の形式またはアレイ（６）で取り付けられた１つまたは複数のＬＥＤモジュールのための容量を有し得る絶縁材料基体にわたって、適用品に直に取り付けできる。モジュールは、その固定のための陽極留め金（５）および陰極留め金（５）を備える一方、電気接続は、絶縁体排除（３）によるものか、または、端子（４）に接続されたケーブルを通じたものであり得る。
【００２９】
また、モジュールは、個別絶縁材料基体（７）または複モジュール基体（６）に取り付けられ得る。つまり、陽極および陰極は、それらの両方において物理的に分離されて維持されており、異なる適用品でのより多くの取り付けの可能性を許容している。このような基体は、導体ケーブル（３５）の配置のための空間を有しており、絶縁体排除接続部（３）の適切な作動のためにケーブルを拘束する。同様に、基体は、モジュール取り付けのための支持部（３６）を備え、陽極および陰極の機械的な留め金（５）のための支持位置を提供する。下方部が、従来の端子（３７）の配置のための空間を有しており、その空間では、端子の配置のための空間があることに加えて、下方部は、モジュール端子での支持体および抵抗と共に、電気回路の端子への支持体および抵抗を提供する。
【００３０】
モジュールは、その絶縁基体（３１）と共に、照明器具または発光体に直に、配向および様々な配置（図７）で、絶縁体排除基体（３２）での接続、基体（３２）に基づいた接続、または、両方の組み合わせ（３４）のいずれかで、取り付けられ得る。
【００３１】
本発明が新規のものとして十分に説明および検討された後、以下の箇条書きで述べたことの請求は、排他的な権利として請求される。
【符号の説明】
【００３２】
１  モジュール
２  金具
３  絶縁体排除経路
３  絶縁体排除接続部
４  端子
４  接続部
５  留め金機構
６  複モジュール基体
６  アレイ
７  個別絶縁基体
７  プラスチック
７  個別絶縁材料基体
８  モジュール
８  構造的剛性領域
９  陽極
１０  陰極
１１  ＬＥＤダイオード
１２  取り付け表面
１３  取り付け表面
１４  熱発散領域
１５  位置
１６  端子
１７  絶縁体排除接続部１
１８  第２の絶縁体排除接続部２
１９  表面側部
２０  中央表面
２１  位置
２２  端子
２３  絶縁体排除接続部１
２４  第２の絶縁体排除接続部２
２５  側部
２６  中央部
２７  熱移動表面
２８  表面
２９  電気接触部
３０  電気接触部
３１  絶縁基体
３２  絶縁体排除接続部
３２  絶縁体排除基体
３３  端子
３４  組み合わせ
３５  導体ケーブル
３７  端子
Ａ  軸線
【図１】
0006005179.tif 000002
【図２】
0006005179.tif 000003
【図３】
0006005179.tif 000004
【図４】
0006005179.tif 000005
【図５】
0006005179.tif 000006
【図６】
0006005179.tif 000007
【図７】
0006005179.tif 000008
【図８】
0006005179.tif 000009
【図９】
0006005179.tif 000010
【図１０】
0006005179.tif 000011
【図１１】
0006005179.tif 000012
【図１２】
0006005179.tif 000013
【図１３】
0006005179.tif 000014